(57)【特許請求の範囲】
【請求項１】
外枠と、前記外枠の一側に開閉自在に取り付けられる前面枠体と、前記外枠の開放側内側面の上下部に設けられる係止金具と、前記前面枠体の開放側内側面に設けられその上下部にばね掛け部を有する縦枠と、前記縦枠に上下方向へ移動自在に設けられた施錠杆とを備え、
前記施錠杆は、前記外枠の上部の係止金具に下方から係脱する上フック部を有する上施錠片と、前記外枠の下部の係止金具に下方から係脱する下フック部を有する下施錠片と、前記上下の施錠片を解錠方向へ移動させる中間連係片とからなり、
前記上下の施錠片の各々の側方には突起片を突設させ、前記中間連係片の上部側にはコ字状の切欠部を形成し、
前記中間連係片の切欠部に前記上施錠片の突起片を臨ませると共に、前記上施錠片の突起片と前記縦枠の上部のばね掛け部とをスプリングによって張設し上方向へ付勢することで該上施錠片のフック部が前記外枠の上部の係止金具に下方から係合するようにし、
前記中間連係片の下端と前記下施錠片の上端とを突き合わせ状にすると共に、前記下施錠片の突起片と前記縦枠の下部のばね掛け部とをスプリングによって張設し上方向へ付勢することで該下施錠片のフック部が前記外枠の下部の係止金具に下方から係合するようにしたことを特徴とするパチンコ遊技機における前面枠体の施錠装置。
【発明の詳細な説明】
【０００１】
【発明の属する技術分野】
本発明は、外枠と、該外枠の一側に開閉自在に取り付けられる前面枠体とを備えたパチンコ遊技機に関し、特にその前面枠体の施錠装置に関するものである。
【０００２】
【従来の技術】
従来、パチンコ遊技機の施錠装置として、外枠の開放側内側面の上下位置に係止金具を設けると共に、前面枠体の開放側内側面に施錠杆を上下方向ヘ移動自在に設け、該施錠杆の上下部に枢支連結された鉤片を外枠の係止金具にそれぞれ下方から係合させて前面枠体を施錠すると共に、鍵によるシリンダー錠の回動操作により施錠杆を上動して鉤片を下向き回動し、それによって鉤片と係止金具との係合を解除して前面枠体の施錠を解錠するように構成したものが知られていた（例えば、実公昭５８−４５３８号公報参照）。
【０００３】
【発明が解決しようとする課題】
上記のような従来のパチンコ遊技機の施錠装置は、施錠杆と上下の鉤片とが一体的に枢支連結されているため、上下いずれか一方の鉤片を下方へ回動させると施錠杆を介して他方の鉤片も回動して外枠の係止金具との係合が解除し得るようになっていた。このため、例えば前面枠体の前面側から裏面側に針金やピアノ線等を挿入して上下いずれか一方の鉤片に引っ掛け、鍵によるシリンダー錠の回動によらないでその鉤片を下方へ回動させることにより外枠の係止金具との係合を解除して前面枠体を不正開放するというような行為が行なわれ易いという問題点があった。
【０００４】
本発明は、上記した問題点に鑑みてなされたもので、その目的とするところは、構造が簡単で製作コストを安くでき、しかも前面枠体の不正開放を確実に防止することができるようなパチンコ遊技機における前面枠体の施錠装置を提供することにある。
【０００５】
【課題を解決するための手段】
上記した目的を達成するために、本発明のパチンコ遊技機における前面枠体の施錠装置は、外枠と、該外枠の一側に開閉自在に取り付けられる前面枠体と、該前面枠体の開放側内側面に上下方向へ移動自在に設けられる施錠杆とを備え、前記施錠杆は、外枠の開放側内側面に固着された上部の係止金具に下方から係脱する上フック部を有する上施錠片と、外枠の下部の係止金具に下方から係脱する下フック部を有する下施錠片と、両施錠片を解錠方向へ移動させる中間連係片との三部材でそれぞれ分離構成されており、前記上施錠片及び下施錠片は、常には上フック部及び下フック部が外枠の上下部の係止金具に下方から係合して前面枠体を施錠するようにそれぞれスプリングによって上方向に付勢されており、かつ解錠操作による中間連係片の下動時のみに該中間連係片と一体に連動して外枠の上部の係止金具と上フック部との係合を解除する位置及び外枠の下部の係止金具と下フック部との係合を解除する位置にそれぞれ移動可能なように設けられていることを特徴とするものである。
【０００６】
このように、施錠杆を上施錠片と下施錠片及び中間連係片の三部材でそれぞれ分離した構成とすることにより、例えば鍵によるシリンダー錠の回動操作によらないで上施錠片又は下施錠片を下方へ移動させても、上施錠片と下施錠片とが連動することなくいずれか一方が係合状態を維持し続けることができるもので、前面枠体の不正開放を確実に防止することが可能となる。
【０００７】
【発明の実施の形態】
次に、図面を参照して本発明の一実施の形態を説明する。図１は本発明が適用されるパチンコ遊技機の正面図、図２はガラス板保持枠と打球供給皿を有する前面板及び余剰球受皿を有する前面下部板を開いた状態のパチンコ遊技機の斜視図、図３は前面枠体を開放した状態の裏面斜視図、図４は外枠と前面枠体の施錠装置部分の斜視図、図５は施錠装置部分の側面図である。パチンコ遊技機１は、縦長な方形状に枠組み形成される外枠２と、該外枠２の一側にヒンジ機構３によって開閉自在に装着される前面枠体４とを備え、該前面枠体４の前面一側にガラス板保持枠５と、打球供給皿６を有する前面板７及び余剰球受皿８を有する前面下部板９とが開閉自在に軸支されている。
【０００８】
前記前面枠体４は、図３に示すように鉄板等の金属板によって形成されるもので、上部にほぼ正方形状の開口部１０が形成され、その下部が板状部１１ａとして形成された主枠部１１と、該主枠部１１の裏面側であり、開口部１０の上側位置を除く左右両側位置及び下側位置にそれぞれカシメ着されて該主枠部１１と一体化される遊技盤取付枠１２とを有し、その遊技盤取付枠１２であり、かつ主枠部１１の開口部１０を覆うように遊技盤１３が着脱可能に取り付けられるようになっている。
【０００９】
ところで、前記前面枠体４には、図２に示すようにパチンコ遊技機１の主要な遊技構成部品のほぼすべてが集約して設けられている。すなわち、前面枠体４の主枠部１１前面には、遊技盤１３の遊技領域外を覆うように合成樹脂により形成されたレール飾り部材１４と、同じように合成樹脂により形成されたレール変形防止部材１５が設けられ、遊技盤１３の遊技領域外には証紙貼付部材１６が設けられる。また、開口部１０の下方の板状部１１ａに貫通形成された円形状取付孔１７には打球発射機構１８が設けられ、四角状取付孔１９には通路構成体２０が取り外し自在に装着されるようになっている。
【００１０】
前記打球発射機構１８は、発射レール２１と、該発射レール２１の発射位置に臨む打球杆２２と、該打球杆２２の駆動源としてのロータリーソレノイド２３と、打球杆２２の発射動作に連動して打球供給皿６に貯留される打球を１個ずつ発射レール２１の発射位置に供給する自動球送り装置２４とをそれぞれ板状の保持体２５に一体に組付けてユニット化されている。そして、円形状取付孔１７にロータリーソレノイド２３を前面側から臨ませると共に、保持体２５の裏面側に突設された複数の嵌合突起（図示せず）を板状部１１ａに穿設された係合孔２６に係合させることによって、打球発射機構１８が前面枠体４の主枠部１１にビス止めすることなくワンタッチで強固に取り付けられるようになっている。
【００１１】
また、前記通路構成体２０は、その上部位置にファール球を受けるファール球受皿部２７と、前面板７の開放時に零れ落ちる賞球を受ける賞球受皿部２８が隔壁２９によりそれぞれ分離して設けられており、ファール球受皿部２７と連通状にファール球誘導通路３１が、また賞球受皿部２８と連通状に零れ球誘導通路３０がそれぞれ互いに独立して設けられている。そして、四角状取付孔１９に通路構成体２０の後部分を前面側から臨ませると共に、複数の後向き係止爪（図示せず）を板状部１１ａに穿設された係合溝８２に係止させることによって、通路構成体２０が前面枠体４の主枠部１１にビス止めすることなくワンタッチで強固に取り付けられるようになっている。
【００１２】
このように、打球発射機構１８、或いは通路構成体２０をユニット化して鉄板等の金属板によって形成される前面枠体４に取り外し自在に装着するようにすることにより、前面枠体４と打球発射機構１８、或いは通路構成体２０の分離仕分け作業が容易となり、パチンコ遊技機を廃棄処分したり、リサイクルするのに好都合となる。
【００１３】
前記前面板７の前面に設けられる打球供給皿６の左側部分は、図１に示すように前面が開放されたドーム状の空間部３２が形成されるような膨出部３３とされており、その空間部３２に灰皿３４が前方に回転自在に軸支されている。このように、ドーム状の空間部３２に灰皿３４を設けることによって、灰皿３４を目立たなくすることができると共に、全体的なデザイン効果を高めることが可能となる。また、前記ドーム状の空間部３２が設けられた膨出部３３の上部には半透明のレンズカバー３５が設けられ、カード式パチンコ機用の残高表示装置３６がレンズカバー３５の内側であり、打球供給皿６の本体側に取り付けられている。さらに残高表示装置３６の近くにカード式パチンコ機における貸し球ボタン３７、カード返却ボタン３８等の操作部が設けられている。
【００１４】
一方、前面下部板９の前面に設けられる余剰球受皿８は、図１に示すようにその右測位置にハンドル装置３９が設けられており、該余剰球受皿８の前面を装飾する装飾カバー体４０と、ハンドル装置３９のカバー部４１とが滑らかな湾曲面状で連続性を有する一体形状となるように形成されている。また、余剰球受皿８の前面ほぼ中央部には、多数の透音孔４３を設けたパンチングメタル４２を介してスピーカー４４が取り付けられている。そして、スピーカー４４の音がパンチングメタル４２を通して余剰球受皿８の前面ほぼ中央部から直接に出されるようになっている。
【００１５】
しかして、図３乃至図６に示すように前記前面枠体４の裏面側であり、遊技盤取付枠１２を構成する左右縦枠１２ａ，１２ｂ及び下部枠１２ｃのうち、その前面枠体４の開放側に位置する縦枠１２ａの中空内側に前面枠体４の施錠装置４５が組付けられている。また、前面枠体４の前面側であり、その開放側に位置する側縁部分には、固定プレート４６を介してガラス板保持枠５の施錠機構４７が組み付けられている。前記固定プレート４６には図６に示すようにシリンダー錠４８が固着されており、その鍵穴部４９がガラス板保持枠５に穿設された貫通孔５０から前面側に突出されている。なお、図４に示すように前記外枠２の開放側内側面の上下位置には係止金具５１ａ，５１ｂが取り付けられており、ガラス板保持枠５の裏面側に設けられた溝枠部材５ｃの開放側側面にはＬ形係止金具５２，５２が固着されている。
【００１６】
前記前面枠体４の施錠装置４５は、図５及び図７に示すように縦枠１２ａの側壁内面に沿って上下方向へ摺動自在に設けられる施錠杆５３を備える。この施錠杆５３は、外枠２の上部の係止金具５１ａに下方から係脱する上フック部５４が設けられた上施錠片５５と、外枠２の下部の係止金具５１ｂに下方から係脱する下フック部５６が設けられた下施錠片５７と、両施錠片５５，５７を解錠方向へ摺動させる中間連係片５８との三部材で分離構成されている。前記上施錠片５５と下施錠片５７は、図７に示すように同一形状とされており、その上施錠片５５の側方に突起片５９が設けられ、同じように下施錠片５７の側方に突起片６３がそれぞれ突設されている。そして、上施錠片５５に設けられた突起片５９を中間連係片５８の上部側に形成されたコ字状の切欠部６０に臨ませると共に、中間連係片５８の下端と下施錠片５７の上端とを突き合わせ状にして連動可能に構成されている。
【００１７】
また、前記上施錠片５５は、これの突起片５９と縦枠１２ａに設けられたばね掛け部６１とに張設されたスプリング６２によって上方向に付勢され、下施錠片５７は、これに設けられた突起片６３と縦枠１２ａに設けられたばね掛け部６４とに張設されたスプリング６５によって上方向に付勢されており、これによって図１０に示すように上施錠片５５の上フック部５４が外枠２の上部の係止金具５１ａに下方から係合し、図１１に示すように下施錠片５７の下フック部５６が外枠２の下部の係止金具５１ｂに下方から係合して前面枠体４を施錠するようになっている。なお、前記縦枠１２ａの側壁上縁部分には上施錠片５５、下施錠片５７及び中間連係片５８の浮き上がりを抑止するための複数の折曲部６６が設けられている。
【００１８】
一方、前記中間連係片５８であり、そのほぼ上下中間位置に連動部材６７が回動可能に軸着されている。この連動部材６７は、折曲により一方の端部に係合部６８が形成されており、図８及び図９に示すように前記シリンダー錠４８の錠軸６９に固着されたカム板７０が備える第１カム片７１と第２カム片７２のうち、一方の第１カム片７１が係合部６８に上方から係合されるようになっている。なお、前記中間連係片５８の切欠部６０は、上施錠片５５が何らかの外的負荷で外枠２の上部の係止金具５１ａとの係合から外れる位置まで押し下げられるようなことがあってもその突起片５９と中間連係片５８とが接触係合することがないようにその切欠き長さが選ばれている。
【００１９】
上記のように構成された前面枠体４の施錠装置４５は、シリンダー錠４８の鍵穴部４９に鍵を差し込んで錠軸６９を図８に示す矢印Ａ方向ヘ回動すると、カム板７０の第１カム片７１が連動部材６７の係合部６８に上方から係合し、中間連係片５８が連動部材６７と一体に下方へ押し下げられる。そして、中間連係片５８が下動されると、図１０鎖線で示すように上施錠片５５の突起片５９と中間連係片５８の切欠部６０上縁との係合により上施錠片５５がスプリング６２の付勢に抗して下方へ押し下げられ、上フック部５４と外枠２の上部の係止金具５１ａとの係合が解除される。同時に中間連係片５８の下端と下施錠片５７の上端との接触係合により下施錠片５７が図１１鎖線で示すようにスプリング６５の付勢に抗して下方へ押し下げられ、下フック部５６と外枠２の下部の係止金具５１ｂとの係合が解除されるもので、これによって前面枠体４が開放可能な状態となる。
【００２０】
一方、前面枠体４が開放された状態において、前面枠体４を外枠２に押し付けると上施錠片５５の上フック部５４と下施錠片５７の下フック部５６が外枠２の上部と下部の係止金具５１ａ，５１ｂの下縁にそれぞれ当接し、さらに前面枠体４を外枠２に押し付けることで上施錠片５５と下施錠片５７とが中間連係片５８に関係なくスプリング６２，６５の付勢に抗して下方へ移動することになる。そして、前面枠体４が閉じられると上フック部５４と下フック部５６のそれぞれ上縁が外枠２の上部と下部の係止金具５１ａ，５１ｂを通過し、同時にスプリング６２，６５の付勢によって上施錠片５５と下施錠片５７がそれぞれ上方に移動して外枠２の上部と下部の係止金具５１ａ，５１ｂに係合されるもので、これによって前面枠体４が外枠２に施錠されることになる。
【００２１】
このように、施錠杆５３を上施錠片５５と下施錠片５７及び中間連係片５８の三部材でそれぞれ分離した構成とすることにより、例えば鍵の回動操作によらないで上施錠片５５又は下施錠片５７を下方へ移動させて外枠２の係止金具５１ａ、５１ｂとの係合を解除し前面枠体４を開放するような不正行為が行われても、上施錠片５５と下施錠片５７とが連動することなくいずれか一方が係合状態を維持し続けることができるもので、確実に前面枠体４の不正開放を防止することができる。
【００２２】
なお、前記中間連係片５８であり、連動部材６７の下方位置に解錠操作部材７３が回動可能に軸着されている。この解錠操作部材７３は、一端に摘み部７４を有し、図１２鎖線で示すように該摘み部７４が前面枠体４の主枠部１１に開設された開口部７５から前面側に突出する位置と同図実線のように開口部７５から後退する位置とに回動可能になっている。そして、摘み部７４を開口部７５から前面側に突出させた状態のとき、その摘み部７４を指で押し下げることにより中間連係片５８を下方へ押し下げることができるようになっている。
【００２３】
このように、中間連係片５８に解錠操作部材７３を設けることにより、例えば解錠操作部材７３を摘み部７４が開口部７５から前面側に突出する位置に回動させておき、連動部材６７を図９鎖線で示すように第１カム片７１と係合不能な位置に回動させて置くようにすれば、鍵を使用して前面枠体４を開放することができないため、前面枠体４を開放するには先ずガラス板保持枠５を開き、次に解錠操作部材７３の摘み部７４を押し下げ操作するというように２段階の手順を踏む必要があって、前面枠体４の不正開放防止に役立つという利点がある。
【００２４】
一方、前記ガラス板保持枠５の施錠機構４７は、図４乃至図６に示すように固定プレート４６の垂直壁４６ａであり、その前側縁の上下位置に形成された係合切欠き部７６、７６と、該垂直壁４６ａの内側面に沿って上下動可能に装着された縦長な係止板７７とから構成されている。この係止板７７の前側縁には、固定プレート４６の係合切欠き部７６に対応する位置にガラス板保持枠５のＬ形係止金具５２，５２と係合する係止部７８，７８が形成されており、後側縁のほぼ上下中間位置には係合受部７９が形成されている。また係止板７７は、スプリング８０により上方に付勢されており、前記シリンダー錠４８の錠軸６９に固着されたカム板７０の第２カム片７２が係合受部７９に上方から係合されるようになっている。なお、係止板７７の後側縁部には、前面枠体４から後方へ突出する開放レバー８１が固着されている。
【００２５】
上記のように構成されたガラス板保持枠５の施錠機構４７は、ガラス板保持枠５が閉じられた状態のとき、図５実線のようにスプリング８０により上動位置に付勢されている係止板７７の係止部７８，７８とガラス板保持枠５のＬ形係止金具５２，５２とが係合して該ガラス板保持枠５が施錠され、シリンダー錠４８の鍵穴部４９に鍵を差し込んで錠軸６９を図８に示す矢印Ｂ方向ヘ回動することにより、カム板７０の第２カム片７２が係止板７７の係合受部７９に上方から係合して該係止板７７をスプリング８０の付勢に抗して下動し、図５鎖線のように係止板７７の係止部７８，７８とガラス板保持枠５のＬ形係止金具５２，５２との係合を解除するもので、これによりガラス板保持枠５の施錠が解錠されて開放可能な状態となる。なお、前面枠体４を開放してその裏面側から開放レバー８１を押し下げ操作することにより係止板７７が同じように下動してガラス板保持枠５を開くことができるようになっている。
【００２６】
【発明の効果】
以上、説明したところから明らかなように、本発明のパチンコ遊技機における前面枠体の施錠装置にあっては、前面枠体を施錠する施錠杆を上施錠片と下施錠片及び中間連係片の三部材でそれぞれ分離した構成とすることにより、鍵の回動操作によらないで前面枠体を開放するような不正行為を確実に防止することができると共に、構造が簡単で製作コストを安くすることができる。
【図面の簡単な説明】
【図１】パチンコ遊技機の正面図である。
【図２】ガラス板保持枠と打球供給皿を有する前面板及び余剰球受皿を有する前面下部板を開いた状態の斜視図である。
【図３】外枠から前面枠体を開放した状態の裏面斜視図である。
【図４】外枠と前面枠体の施錠装置部分の斜視図である。
【図５】施錠装置部分の側面図である。
【図６】施錠装置部分の斜視図である。
【図７】施錠装置の分解斜視図である。
【図８】施錠装置のカム板部分の正面図である。
【図９】施錠装置のカム板と連動部材との係合作用を説明する側面図である。
【図１０】施錠装置の上施錠片の作用を説明する側面図である。
【図１１】施錠装置の下施錠片の作用を説明する側面図である。
【図１２】解錠操作部材の作用を説明する側面図である。
【符号の説明】
２                外枠
４                前面枠体
４５              施錠装置
５１ａ，５１ｂ    係止金具
５３              施錠杆
５４              上フック部
５５              上施錠片
５６              下フック部
５７              下施錠片
５８              中間連係片
【図１】
0003931010.tif 000002
【図２】
0003931010.tif 000003
【図３】
0003931010.tif 000004
【図４】
0003931010.tif 000005
【図５】
0003931010.tif 000006
【図６】
0003931010.tif 000007
【図７】
0003931010.tif 000008
【図８】
0003931010.tif 000009
【図９】
0003931010.tif 000010
【図１０】
0003931010.tif 000011
【図１１】
0003931010.tif 000012
【図１２】
0003931010.tif 000013